(57)【要約】【課題】食品用の包装資材としての安全性及び使用後のリサイクル性に優れ、不正開封を安価に簡便に防止することが可能な封印材を提供することを目的とする。【解決手段】オレフィン系のラップフイルムで包装されたラップフイルムの重なり部分の表面側端部を跨いで、印刷及び粘着剤が片面に塗布されラップフイルムと同種のオレフィン系素材から作られた延伸倍率１５倍以下のミシン目、もしくは穴あきフイルムを貼ることで、開封時にフイルムが伸びて印字が不鮮明になったり、切れてしまうことで不正に開封した事が認知出来る。【選択図】  図１
2004161370.tif 000002
【特許請求の範囲】
【請求項１】
コロナ放電処理が両面に施された延伸倍率が１５倍以下のオレフィン系のテープ状の印刷されたフィルムを基材とし、長手方向と同一方向に１本以上の連続したミシン目状の切れ込みもしくは打ち抜かれた穴が有り、且つ片面に貼り付け用の粘着剤が塗布されていることを特徴とする封印材。
【請求項２】
前記封印材のミシン目状の切れ込みが、１本以上長手方向に対して任意の角度で存在することを特徴とする封印材。
【請求項３】
コロナ放電処理が片面に施された延伸倍率が１５倍以下のオレフィン系のテープ状のフイルムを基材とし、ミシン目状もしくは部分的に封印される部材に熱溶着されていることを特徴とする封印材。
【請求項４】
前記請求項１から３の基材が厚さ０．５ｍｍ以下のオレフィン系の不織布であることを特徴とする封印材。
【発明の詳細な説明】
【０００１】
【発明の属する技術分野】
本発明は、食品容器や食品包装、重要な書類等の保管及び輸送時に不正な開封を防止する為の封印材に関するものである。
【０００２】
【従来の技術】
伝統のある封印材としてもっとも有名なものに、ヨーロッパで多く使われて来た封蝋が挙げられ、それは酒類やジャムの瓶の栓等の封印に用いられ、日本国内においては薄い和紙を接着剤で貼り、割印を施す様な封印材が一般的である。
【０００３】
封印材を用いて封印する理由は、紙幣の束や重要書類の保管及び輸送時さらに電子機器類の装置の入れ替え防止等、開封したことを容易に認知することが出来たり、開封を防止することであり、輸送時の振動や衝撃に対する機械的強度が高くて破損せず、長期に亘って封印することの出来る性質が求められる。
【０００４】
従来の封印材として用いられていた封蝋は熱可塑性の接着剤であるから封印する封筒や包装紙に蝋を適宜溶解し、金属製の刻印を押す事により開封しようとすれば蝋が割れて開封したことが容易に検知出来る為、不正な開封を防止することが出来、その有効な封印性ゆえに食品の容器の封印や印鑑を使う慣習のないヨーロッパでは外交文書等にも使われて来たのである。
【０００５】
また日本国内においては、印鑑を使用する慣習がある為、封筒の貼り合わせ部分に薄い和紙等の封緘紙を用いて封緘し、さらに割印を押すということが行われて来た。
【０００６】
【発明が解決しようとする課題】
しかしながら上記従来の封印材では満足できるものではなかった。
即ち例えば封蝋を使用する場合、溶解する必要がある為対象となるものがガラスビン、コルク、紙等の瞬間的ではあるが耐熱性を有することが条件で有り、現在生鮮食品用に多く使われている発泡スチロール製のトレーやそれを包装するオレフィン系のラップ材には溶解してしまう為に使用が出来ない。
【０００７】
また薄い和紙を用いた封印の場合、包装紙が紙製のものに使用する場合には有用であるが、オレフィン系の容器やラップに封印する為に貼り付けた場合、使用後のリサイクルのことを考えると紙でなく、同じオレフィン系の素材のほうが有効である。
【０００８】
また現在、飲料用のペットボトルのスクリューキャップには開封時に上下二つに分割され、下部がキャップの締付時よりも下に下がり隙間が出来て開封が分かるようになったものも有るが、完全に下に落ちないものが有り確認し難い場合が有ったり、食品の消費期限を改ざんしたりする食品メーカーや流通業者がいて社会問題となっている。そのためには不正に開封したことが容易に確認出来ることと、一度貼った消費期限を貼り直すことが出来難い工夫が求められている。
【０００９】
【課題を解決するための手段】
本第１の発明に係る封印材は、コロナ放電処理が両面に施された延伸倍率が１５倍以下のオレフィン系のフイルムを基材とし、長手方向と同一方向に１本以上の連続したミシン目状の切れ込みもしくは打ち抜かれた穴が有り、且つ片面に貼り付け用の粘着剤が塗布されていることを要旨とする。
【００１０】
例えば封印材においては、封印する包装材と同一素材であり、簡単に切れたり、外れたりすることのないような外的応力に十分耐え得るだけの機械的強度が要求される。
【００１１】
この点において本第一の発明の封印材は基材がオレフィン系のフイルムであるから、封蝋の様に脆くなく衝撃に対しても十分な機械的強度を有している。
又、粘着剤付きのオレフィン系のフィルムなので、封蝋や金属を使用した封印に見られる様に素材を溶かしたり他の物に接触した場合や封印する素材を傷つけることが低減される。
【００１２】
加えて上記封印材を剥がそうとした場合、フイルムに引張り荷重が加わり、そのためにミシン目の部分やフイルムの幅に差を付けた部分もしくは、打ち抜き部の回りのフイルム幅の狭い部分に力が集中することによりフイルムが伸びて波うったり、最後には破断することで不正な開封を容易に検知することが出来る。
【００１３】
更に本第１、２の発明においてはオレフィン系のフィルムの両面にコロナ放電処理が施されているため、粘着剤を塗布されていない面、つまり表面において通常使用されているシールと同様に、店頭等での日付けの印字が出来、第三者機関等が発行枚数を管理することにより、不正な日付けの貼り替えや詰め替えを防止することが出来る。
【００１４】
【発明の実施の形態及び実施例】
以下、本発明に係る封印材及びその封印方法を、実施例を示しつつ具体的に説明するが、本発明はもとより実施例に限定される訳ではなく、前・後記の趣旨に適合し得る範囲で適当に変更を加えて実施することも可能であり、それらはいずれも本発明の技術的範囲に包含される。
【００１５】
＜実施例１＞
図１は本発明の実施例１に係る封印材を用いた封印方法を示す斜視図である。生鮮食品をのせているトレー１１にオレフィン系のラップフィルム１２を四方向からそれぞれのフイルムが重なり合うように包み込み、それぞれの端部を中心にミシン目６と印刷及び日付け印字７、粘着剤８が施された、厚さ３０ミクロンの中分子量のポリエチレン製基材９を封印材１０ａとして貼り付けたものである。
この様に包装、封印された生鮮食品が店頭に並べられる。
【００１６】
図２及び図３は実施例１で封印された包装を開封した時に発生した封印材の状態を示した斜視図である。
先ず図２の様に開封する場合ラップフイルム１２に封印材１０ａが粘着剤で強固に貼られている為に、封印材１０ａのどちらか一方の端部を持って剥がすのであるが、その場合図３の様に封印材１０ａに施された打ち抜き穴１３部分まで剥がされていけばフイルムの引張り弾性が粘着強度よりも弱い為にフイルム幅の細い部分に応力が集中して伸びてしまい波打った状態になり印字等が不鮮明になったり、それ以上の力で剥がそうとすれば打ち抜き穴１３部分で切れてしまい開封したことが容易に判別することが出来た。
【００１７】
＜実施例２＞
図４はペットボトルに使用されているポリプロピレン系のキャップに本発明のポリプロピレン基材の封印材１０ｂを熱溶着で取り付けた斜視図である。
キャップ蓋部１４を包み込む様にキャップ本体１５に厚さ１５ミクロンの中分子量ポリプロピレンフイルム１６に５ミクロンの低分子量ポリプロピレン１７をラミネート加工した面を溶着側とした封印材１０ｂをローラー式の熱シール器１８を用いて封印を行った。
この場合にも、完全に本発明の封印材を破壊しないと開封は困難であった。
【００１８】
＜実施例３＞
図５はポリエチレン系の不織布１９（平方メートル当たり２５グラムの目付け）に低分子量ポリエチレン２０を５ミクロンの厚みでラミネート加工したものの不織布側粘着剤７をコーティングし、不織布の流れ方向に対し９０度の方向に２０ｍｍの幅でスリットしテープ状のシートを得た。
さらに、そのものの中心線上に直径１０ｍｍの打ち抜き穴を２０ｍｍピッチで開けたものを５０ｍｍにカットして前記実施例１と同様にラップフイルムの上に貼り付け封印を行った。
【００１９】
封印材の端部を５ｍｍ程剥がしてゆっくりと剥がそうとした場合、打ち抜き穴の部分が当初５ｍｍづつの幅が有ったが２．３ｍｍまで細くなり丸い穴が９ｍｍＸ１８ｍｍの楕円形状となった。
【００２０】
このことは即ち、再度粘着剤を利用して貼り直そうと試みても伸びた部分が波打ったりして元の形状に戻す事が出来ないので、容易に不正な開封を認知する事が出来るのである。
【００２１】
【発明の効果】
本発明に係る封印材は、容器や包装材の素材と同種の素材でなければその効果及び使用後の処理・リサイクル性においての優位性が発揮されることはないが、現在ペットボトルのキャップやラップフイルムはその殆どがオレフィン系の樹脂から作られている為封印材を貼り付けたままの状態でリサイクルに回すことが出来、且つ有害な原料を使うことなく非常に安価で簡単に使用することが出来る。
【図面の簡単な説明】
【図１】本発明の実施例１に係る封印材を用いた封印方法を示す斜視図。
【図２】本発明の開封時を示す斜視図。
【図３】本発明の封印材の開封時における様子に付いての斜視図。
【図４】本発明の封印材を熱溶着で貼り付けた状態を示す斜視図。
【図５】本発明の不織布製の基材を用いた状態を示す斜視図。
【符号の説明】
６  ミシン目
７  印字
８  粘着剤
９  基材
１０  封印材
１１  トレー
１２  ラップフイルム
１３  打ち抜き穴
１４  キャップ蓋部
１５  キャップ本体
１６  中分子量ポリプロピレンフイルム
１７  低分子量ポリプロピレン
１８  ローラー式熱シール器
１９  ポリエチレン不織布
２０  低分子量ポリエチレン
【図１】
2004161370.tif 000003
【図２】
2004161370.tif 000004
【図３】
2004161370.tif 000005
【図４】
2004161370.tif 000006
【図５】
2004161370.tif 000007